(57)【要約】【課題】テレビカメラシステムのレンズ装置がオートフォーカス（ＡＦ）機能を備え、カメラがＡＦの対象範囲であるＡＦエリアをビューファインダーに表示させるＡＦエリア表示機能を備えていない場合に、ＡＦエリアの範囲を本発明に係るＡＦエリア表示装置によって取得し、ＡＦエリアの範囲を表示するための映像を生成して所定のモニタに出力することによって、カメラがＡＦエリア表示機能を備えていない場合であってもカメラマンがＡＦエリアを認識することができるＡＦエリア表示装置を提供する。【解決手段】レンズ装置１０のＡＦエリア情報が出力されるコネクタ１０Ｃに本発明が適用されたＡＦエリア表示アダプタ２０が接続され、ＡＦエリア表示アダプタ２０にＡＦエリアディスプレイ２２が接続される。ＡＦエリア表示アダプタ２０は、ＡＦエリア情報に基づいてカメラ１２の撮像範囲を示す枠と現在のＡＦエリアの範囲を示すＡＦ枠をＡＦエリアディスプレイ２２に表示させる。【選択図】      図１
2006145872.tif 000002
【特許請求の範囲】
【請求項１】
カメラに交換可能に装着されるレンズ装置であって、前記カメラの撮像範囲のうち所定のＡＦエリアの範囲の被写体に合焦するようにフォーカスを制御するオートフォーカス手段を備えたレンズ装置に組み込まれ、又は、前記レンズ装置に付属装置として接続されるＡＦエリア表示装置であって、
前記オートフォーカス手段において現在設定されている前記ＡＦエリアの範囲を取得するＡＦエリア取得手段と、
前記ＡＦエリア取得手段によって取得したＡＦエリアの範囲を表示するための映像信号を生成する映像信号生成手段と、
前記映像信号生成手段によって生成された映像信号を出力する映像信号出力手段と、
を備えたことを特徴とするＡＦエリア表示装置。
【請求項２】
前記映像信号生成手段は、前記カメラの撮像範囲を示す枠と、該枠内におけるＡＦエリアの範囲を示すＡＦ枠の映像を表示するための映像信号を生成することを特徴とする請求項１のＡＦエリア表示装置。
【請求項３】
前記レンズ装置は、前記オートフォーカス手段において現在設定されている前記ＡＦエリアの範囲を示すＡＦエリア情報を出力するＡＦエリア情報出力コネクタを備え、前記ＡＦエリア表示装置は、付属装置として前記ＡＦエリア情報出力コネクタに接続されると共に、前記ＡＦエリア取得手段は前記ＡＦエリア情報出力コネクタから出力されたＡＦエリア情報を取得することによって前記ＡＦエリアの範囲を取得することを特徴とする請求項１又は２のＡＦエリア表示装置。
【請求項４】
前記ＡＦエリア表示装置は、前記映像信号出力手段によって出力された映像信号による映像を表示する表示手段を備えたことを特徴とする請求項１、２、又は、３のＡＦエリア表示装置。
【発明の詳細な説明】
【技術分野】
【０００１】
本発明はＡＦエリア表示装置に係り、特にカメラの撮像範囲のうちオートフォーカス（ＡＦ）の対象範囲とするＡＦエリアを表示するためのＡＦエリア表示装置に関する。
【背景技術】
【０００２】
テレビカメラのように撮影素子（ＣＣＤ等）により被写体の画像を電気信号（画像信号）に変換する撮像システムでは、オートフォーカス（以下、ＡＦという）の方式として一般的にコントラスト方式が採用されている。コントラスト方式は、撮像素子により取り込まれた被写体画像の画像信号（映像信号）から被写体画像のコントラストを検出し、そのコントラストが最も高くなるように撮影レンズのフォーカス（フォーカスレンズ）を制御することによって最良ピント状態に自動でピント合わせを行う方式である。
【０００３】
コントラスト方式のＡＦでは、カメラの撮像範囲をＡＦの対象範囲とするのではなく、撮像範囲のうちの一部の範囲にある被写体のみを対象とすることが多い。例えば、撮像素子によって有効に撮像された被写体画像の画像信号のうち、ＡＦの対象とする所定範囲の画像信号を抽出し、その抽出した範囲の画像信号に基づいてその画像のコントラストが最も高くなるようにフォーカスを制御している。これによってＡＦの対象が一部の範囲にある被写体に限定される。尚、本明細書ではＡＦの対象範囲をＡＦエリアといい、そのＡＦエリアの範囲を示す枠（ＡＦエリアの輪郭）をＡＦ枠というものとする。
【０００４】
また、例えば特許文献１のようにＡＦエリアの位置等を操作者の操作に従って変更可能にすると共に、ビューファインダーの画面上にそのＡＦエリアの範囲をＡＦ枠等によって表示するものも提案されている。
【特許文献１】特開２００２−３６５５１９号公報
【発明の開示】
【発明が解決しようとする課題】
【０００５】
ところで、放送用のテレビカメラシステムは、一般に、撮像素子や所要の信号処理回路を備えたカメラ（カメラヘッド）と、カメラに交換可能に装着されるレンズ装置（交換レンズ）と、カメラから出力される撮影映像等の映像信号を表示するビューファインダー等から構成されている。このようなテレビカメラシステムにおいて、ＡＦによるピント合わせを可能にするためにレンズ装置にＡＦ機能が搭載されたものが知られている。また、それに対応してＡＦエリアの範囲（位置や大きさ等）を示すＡＦエリア情報をカメラがレンズ装置から取得し、そのＡＦエリア情報に基づいて例えばＡＦ枠の画像を撮影映像に合成してビューファインダーに表示させるＡＦエリア表示機能を備えたものが知られている。
【０００６】
しかしながら、カメラにはＡＦエリア表示機能を備えていないものがあり、ＡＦエリア表示機能を備えていないカメラを使用する場合には、ＡＦエリアの範囲を変更してしまうとＡＦエリアが現在撮像範囲のどの位置や大きさに設定されているかをカメラマンが認識することができない。そのため、レンズ装置においてＡＦエリアの範囲を変更する機能を備えている場合であってもカメラがＡＦエリア表示機能を備えていない場合には、ＡＦエリアを例えば画面中央の所定の大きさに固定することなどによってＡＦエリアの範囲の変更を禁止し、現在設定されているＡＦエリアの範囲が認識不能になる不具合を防止する必要があった。
【０００７】
本発明はこのような事情に鑑みてなされたもので、ＡＦエリア表示機能を備えていないカメラを使用する場合であってもＡＦエリアの範囲を操作者が認識可能に表示できるようにするＡＦエリア表示装置を提供することを目的とする。
【課題を解決するための手段】
【０００８】
前記目的を達成するために、請求項１に記載のＡＦエリア表示装置は、カメラに交換可能に装着されるレンズ装置であって、前記カメラの撮像範囲のうち所定のＡＦエリアの範囲の被写体に合焦するようにフォーカスを制御するオートフォーカス手段を備えたレンズ装置に組み込まれ、又は、前記レンズ装置に付属装置として接続されるＡＦエリア表示装置であって、前記オートフォーカス手段において現在設定されている前記ＡＦエリアの範囲を取得するＡＦエリア取得手段と、前記ＡＦエリア取得手段によって取得したＡＦエリアの範囲を表示するための映像信号を生成する映像信号生成手段と、前記映像信号生成手段によって生成された映像信号を出力する映像信号出力手段と、を備えたことを特徴としている。
【０００９】
本発明によれば、カメラがＡＦエリア表示機能を備えていない場合であっても本発明のＡＦエリア表示装置によってＡＦエリアの範囲を表示するための映像信号を生成することができるため、その映像信号を例えばモニタに出力することによって現在設定されているＡＦエリアの範囲をカメラマンが認識することができ、ＡＦエリアの範囲の変更を禁止する必要がなくなる。
【００１０】
請求項２に記載のＡＦエリア表示装置は、請求項１に記載の発明において、前記映像信号生成手段は、前記カメラの撮像範囲を示す枠と、該枠内におけるＡＦエリアの範囲を示すＡＦ枠の映像を表示するための映像信号を生成することを特徴としている。本発明は、ＡＦエリアの範囲を表示するための映像の一形態を示したものである。
【００１１】
請求項３に記載のＡＦエリア表示装置は、請求項１又は２に記載の発明において、前記レンズ装置は、前記オートフォーカス手段において現在設定されている前記ＡＦエリアの範囲を示すＡＦエリア情報を出力するＡＦエリア情報出力コネクタを備え、前記ＡＦエリア表示装置は、付属装置として前記ＡＦエリア情報出力コネクタに接続されると共に、前記ＡＦエリア取得手段は前記ＡＦエリア情報出力コネクタから出力されたＡＦエリア情報を取得することによって前記ＡＦエリアの範囲を取得することを特徴としている。本発明は、ＡＦエリア表示装置をレンズ装置の付属装置（アダプタ）とする場合に、レンズ装置からＡＦエリアの範囲を取得する方法の一形態を示している。
【００１２】
請求項４に記載のＡＦエリア表示装置は、請求項１、２、又は、３に記載の発明において、前記ＡＦエリア表示装置は、前記映像信号出力手段によって出力された映像信号による映像を表示する表示手段を備えたことを特徴としている。本発明は、ＡＦエリアの範囲を示す映像をＡＦエリア表示装置と別体のモニタに表示するのではなく、ＡＦエリア表示装置に一体のモニタに表示するようにしたものである。
【発明の効果】
【００１３】
本発明に係るＡＦエリア表示装置によれば、ＡＦエリア表示機能を備えていないカメラを使用する場合であってもＡＦエリアを表示することができるようになる。
【発明を実施するための最良の形態】
【００１４】
以下、添付図面に従って本発明に係るＡＦエリア表示装置の好ましい実施の形態について詳説する。
【００１５】
図１は、本発明に係るＡＦエリア表示装置が組み込まれたテレビカメラシステムの一実施の形態を外観構成図である。同図において、レンズ装置１０は、フォーカスレンズ群やズームレンズ群、絞りなどの光学部品を備えた光学系と、光学系を制御する制御系とを備えており、その光学系の光学部品を保持するレンズ鏡胴は、レンズ交換可能なテレビ放送用のカメラ（カメラヘッド）１２にマウント結合されている。
【００１６】
カメラ１２にはＣＣＤ等の撮像素子や所要の信号処理回路が搭載されている。カメラ１２の撮像素子の撮像面にはレンズ装置１０の光学系によって被写体像が結像され、その被写体像が撮像素子によって順次光電変換される。そして、信号処理回路によって撮像素子から出力された信号に所要の信号処理が施される。これによって被写体の画像（映像）が撮影されると共にその映像の映像信号が生成される。
【００１７】
カメラ１２にはビューファインダー１４が取り付けられると共にケーブルなどによって電気的に接続されている。ビューファインダー１４には、例えばカメラ１２で現在撮影されている撮影映像の映像信号がカメラ１２から出力され、ビューファインダー１４の画面にその撮影映像が表示されるようになっている。
【００１８】
レンズ装置１０やカメラ１２には、いくつかの電気コネクタが設けられており、レンズ装置のコネクタ１０Ａにはフォーカスに関する操作やオートフォーカス（ＡＦ）機能においてＡＦの対象範囲とするＡＦエリアに関する操作を行うためのフォーカス＆ＡＦエリアデマンド１６がケーブルによって接続されている。レンズ装置１０のコネクタ１０Ｂにはズームに関する操作を行うためのズームデマンド１８がケーブルによって接続されている。
【００１９】
レンズ装置１０のコネクタ１０Ｃとカメラ１２のコネクタ１２Ａには、本発明に係るＡＦエリア表示装置をレンズ装置１０の付属装置として構成した場合のＡＦエリア表示アダプタ２０がケーブルによって接続されている。ここで、本実施の形態のカメラ１２は、レンズ装置１０のコネクタ１０Ｃから出力されるＡＦエリアの範囲（例えば、撮像範囲におけるＡＦエリアの位置、大きさ、形状によって決まる範囲）を示すＡＦエリア情報を取得してもＡＦエリアの範囲をビューファインダー１４に表示する機能（ＡＦエリア表示機能）を備えていないタイプであり、カメラ１２がＡＦエリア表示機能を備えている場合には、レンズ装置１０のコネクタ１０Ｃとカメラ１２のコネクタ１２Ａを直接ケーブルで接続してビューファインダー１４にＡＦエリアを表示させることもできる。
【００２０】
ＡＦエリア表示アダプタ２０は、レンズ装置１０から出力される上記ＡＦエリア情報を取得し、後述のようにＡＦエリアを表示するための映像（映像信号）を生成する。ＡＦエリア表示アダプタ２０には、ＡＦエリアディスプレイ２２（モニタ）が接続されており、ＡＦエリア表示アダプタ２０によって生成されたＡＦエリアの映像がそのＡＦエリアディスプレイ２２に表示されるようになっている。また、ＡＦエリア表示アダプタ２０は、ＡＦエリア情報以外にレンズ装置１０とカメラ１２との間でやり取りされる信号（アイリス信号等）を送信元から送信先にそのまま転送する。
【００２１】
レンズ装置１０のコネクタ１０Ｄにはカメラ１２のコネクタ１２Ｂがケーブルによって接続される。レンズ装置１０は、カメラ１２によって撮影されている映像の映像信号に基づいて自動でピント合わせを行うオートフォーカス（ＡＦ）機能を備えており、そのＡＦ機能において使用される映像信号がカメラ１２のコネクタ１２Ｂから出力されレンズ装置１０のコネクタ１０Ｄを介してレンズ装置１０に取り込まれるようになっている。
【００２２】
図２は、上記テレビカメラシステムにおいて主にＡＦ機能に関連する処理ブロックの構成を示したブロック図である。同図において、レンズ装置１０の光学系に配置されたフォーカスレンズ群ＦＬ、ズームレンズ群ＺＬ、絞りＩにはそれぞれモータＦＭ、ＺＭ、ＩＭやポテンショメータＦＰ、ＺＰ、ＩＰが連結されており、フォーカスレンズ群ＦＬ、ズームレンズ群ＺＬ、絞りＩは各モータＦＭ、ＺＭ、ＩＭによって駆動されると共に、各々の設定位置に応じた電圧の位置信号が各ポテンショメータＦＰ、ＺＰ、ＩＰから出力されるようになっている。
【００２３】
レンズ装置１０には装置全体を統括的に制御するＣＰＵ３０が搭載されている。ＣＰＵ３０には、各モータＦＭ、ＺＭ、ＩＭに接続された各アンプＦＡ、ＺＡ、ＩＡがＤ／Ａ変換器３２を介して接続されており、ＣＰＵ３０は、各アンプＦＡ、ＺＡ、ＩＡに与える駆動信号の値によって各モータＦＭ、ＺＭ、ＩＭの回転速度を制御すると共に、各ポテンショメータＦＰ、ＺＰ、ＩＰから出力された位置信号をＡ／Ｄ変換器３４を介して取得することによってフォーカスレンズ群ＦＬ、ズームレンズ群ＺＬ、絞りＩを所望の位置や動作速度となるように制御することができるようになっている。
【００２４】
レンズ装置１０のコネクタ１０Ａに接続されたフォーカス＆ＡＦエリアデマンド１６やコネクタ１０Ｂに接続されたズームデマンド１８から出力される信号は、Ａ／Ｄ変換器３４を介してＣＰＵ３０によって読み取られるようになっている。詳細は後述するが、フォーカスレンズ群ＦＬの制御（フォーカス制御）は、オートフォーカス（ＡＦ）とマニュアルフォーカス（ＭＦ）とで切り替えられるようになっており、ＭＦ時には、フォーカス＆ＡＦエリアデマンド１６から与えられるフォーカス指令信号に従ってフォーカス制御が行なわれる。即ち、ＭＦ時においてＣＰＵ３０はフォーカス＆ＡＦエリアデマンド１６から与えられるフォーカス指令信号の値を読み取り、そのフォーカス指令信号の値を例えば目標位置を示す値としてその値に対応する位置にフォーカスレンズ群ＦＬを移動させる。
【００２５】
ズームレンズ群ＺＬの制御（ズーム制御）は、ズームデマンド１８から与えられるズーム指令信号に従って行なわれ、ＣＰＵ３０は、ズームデマンド１８から与えられるズーム指令信号の値を読み取り、そのズーム指令信号の値を例えば目標速度を示す値としてその値に対応する速度でズームレンズ群ＺＬを移動させる。
【００２６】
一方、絞りＩの制御は、カメラ１２から与えられるアイリス信号に基づいて行なわれる。アイリス信号はカメラ１２のコネクタ１２Ａから出力され、詳細を後述するＡＦエリア表示アダプタ２０を介してレンズ装置１０のコネクタ１０Ｃからレンズ装置１０に入力され、Ｉ／Ｏポート３６を介してＣＰＵ３０によって読み取られる。ＣＰＵ３０は、そのアイリス信号の値に対応した位置（開口度）に絞りＩを設定する。
【００２７】
以下においてフォーカス制御に関連する構成、処理について詳説する。上記フォーカス＆ＡＦエリアデマンド１６は、図３のように構成されている。同図に示すようにフォーカス＆ＡＦエリアデマンド１６は、各種回路が内蔵された円筒上の本体部６０を備え、その本体部６０には、フォーカスノブ６２が回動可能に設けられている。フォーカス＆ＡＦエリアデマンド１６からは、フォーカスノブ６２の回転位置に対応した値のフォーカス指令信号が出力されるようになっており、上述のようにＭＦ時には、そのフォーカス指令信号に従ってフォーカスレンズ群ＦＬが制御される。
【００２８】
フォーカス＆ＡＦエリアデマンド１６の本体部６０の周面には、ＡＦスタートスイッチ６４が配置されている。ＡＦスタートスイッチ６４は、ＡＦの制御を開始させるためのスイッチであり、ＭＦ時においてＡＦスタートスイッチ６４がオンされると、その信号がレンズ装置１０のＣＰＵ３０に与えられ、ＣＰＵ３０によってＡＦの制御が開始される。一方、ＡＦ時において、フォーカスノブ６２が回動操作されてフォーカス指令信号の値が変化すると、ＭＦの制御に切り替わるようになっている。尚、ＡＦとＭＦの切り替えは本実施の形態の方法に限らず、例えば、ＡＦモードとＭＦモードを選択するスイッチによって行えるようにしてもよい。
【００２９】
また、フォーカス＆ＡＦエリアデマンド１６の本体部６０の周面には、ＡＦエリアに関する操作部材としてジョイスティック６６が設けられているが、これについては後述する。
【００３０】
ＡＦの制御時では、図２に示す焦点評価値検出部４０によって検出されるピント情報（焦点評価値）がＣＰＵ３０に読み取られ、そのピント情報に基づいてフォーカスレンズ群ＦＬが制御されるようになっている。図１でも示したようにカメラ１２のコネクタ１２Ｂからはカメラ１２で撮影されている映像の映像信号が出力され、その映像信号がレンズ装置１０のコネクタ１０Ｄから入力されている。レンズ装置１０のコネクタ１０Ｄから入力した映像信号は焦点評価値検出部４０に取り込まれる。
【００３１】
焦点評価値検出部４０は、Ａ／Ｄ変換器４２、ハイパスフィルタ（ＨＰＦ）４４、ゲート回路４６、加算回路４８等から構成されており、焦点評価値検出部４０に取り込まれた映像信号は、まず、Ａ／Ｄ変換器４２によりデジタル信号に変換される。続いて、ハイパスフィルタ（ＨＰＦ）４４によって映像信号から高域周波数成分のみが抽出され後、ゲート回路４６に入力される。そして、撮像範囲内に設定されたＡＦエリアの範囲の信号のみがゲート回路４６により抽出される。尚、ゲート回路４６における信号抽出範囲（ＡＦエリアの範囲）はＣＰＵ３０からの指示信号によって設定される。
【００３２】
ゲート回路４６により抽出されたＡＦエリア内の高域周波数成分の信号は、１フィールド分ずつ加算回路４８により積算され、その積算値が焦点評価値としてＣＰＵ３０に与えられる。
【００３３】
このようにして得られる焦点評価値は、カメラ１２で撮影されているＡＦエリア内の映像（被写体画像）のコントラストの高さを評価する値であり、ＣＰＵ３０は、焦点評価値検出部４０から得られる焦点評価値が最大（極大）となるようにフォーカスレンズ群ＦＬを制御する。例えば、ワブリングと呼ばれるフォーカスレンズ群ＦＬの微小振動によって焦点評価値が増加する方向を検出してその方向にフォーカスレンズ群ＦＬを移動させ、焦点評価値の増加が検出されなくなる位置でフォーカスレンズ群ＦＬを停止させる。これによって、ＡＦエリア内の被写体画像のコントラストが最大となる位置にフォーカスレンズ群ＦＬが設定され、ＡＦエリア内の被写体に合焦する。
【００３４】
続いて、ＡＦエリアに関して説明する。カメラ１２の撮像素子によって有効に撮像する被写体又は被写体画像の範囲を撮像範囲というものとすると、図４に示すように、その撮像範囲（枠８０の範囲）に対してＡＦの対象範囲であるＡＦエリア８２が例えば矩形状のＡＦ枠８４の範囲内として設定される。尚、撮像範囲は、カメラ１２の撮像素子によって撮像された被写体画像（映像）をビューファインダー１４等の画面上に再生表示した場合のその映像の画面範囲に相当する。
【００３５】
撮像範囲におけるＡＦエリア８２の範囲は、例えば、ＡＦエリア８２の位置（中心位置）、大きさ、形状を考慮してＣＰＵ３０によって設定されるが、本実施の形態では、ＡＦエリア８２の形状は矩形状に固定され、ＡＦエリア８２の大きさも一定の大きさに固定されている。一方、ＡＦエリア８２の位置は、図３に示したフォーカス＆ＡＦエリアデマンド１６のジョイスティック６６の操作によって操作者が所望の位置に変更できるようになっている。
【００３６】
ジョイスティック６６の操作を示す操作信号は、フォーカス＆ＡＦエリアデマンド１６から出力され、図２においてＡ／Ｄ変換器３４を介してＣＰＵ３０に与えられている。ＣＰＵ３０はその操作信号によりジョイスティック６６の上下左右への操作方向を検出し、その操作方向に合わせて撮像範囲におけるＡＦエリア８２の位置を現在設定されている位置から変更する。例えば、対向した位置から見てジョイスティック６６が左方向に操作された場合、図４の撮像範囲８０においてＡＦエリア８２（ＡＦ枠８４）の位置を左方向に所定量移動させる。同様にジョイスティック６６が右方向、上方向、下方向の各方向に操作された場合にはＡＦエリア８２の位置を操作方向と同じく右方向、上方向、下方向の各方向に所定量移動させる。また、例えば、ジョイスティック６６がある方向に操作されている時間が一定時間経過するごとに、ＡＦエリア８２の位置をその操作方向と同じ方向に所定量ずつ移動させることによってＡＦエリア８２の位置を連続的に変移させる。尚、ジョイスティック６６の操作量（傾斜角度）の大きさに応じてＡＦエリア８２の移動速度が大きくなるようにしてもよい。
【００３７】
レンズ装置１０のＣＰＵ３０は、このようにして変更されるＡＦエリアの位置と、事前に決められているＡＦエリアの大きさ及び形状に基づいてＡＦエリアの範囲を設定し、その設定したＡＦエリアの範囲を信号抽出範囲として指示する指示信号を焦点評価値検出部４０のゲート回路４６に与える。これによってそのＡＦエリアの範囲の映像信号がゲート回路４６によって抽出され、ＡＦエリアの範囲の被写体画像に対する焦点評価値が焦点評価値検出部４０からＣＰＵ３０に与えられる。
【００３８】
また、レンズ装置１０において現在設定されているＡＦエリアの範囲は、図１及び図２に示したＡＦエリア表示アダプタ２０を介してＡＦエリアディスプレイ２２に表示されるようになっている。ＡＦエリア表示アダプタ２０について説明すると、図２に示すようにＡＦエリア表示アダプタ２０にはＣＰＵ１００、シリアルコミュニケーションインターフェース（ＳＣＩ）１０２、１０４、Ｉ／Ｏポート１０６が搭載されている。ＡＦエリア表示アダプタ２０は、図１でも示したようにレンズ装置１０のコネクタ１０Ｃと、カメラ１２のコネクタ１２Ａとにケーブルを介して接続されており、レンズ装置１０のコネクタ１０Ｃに接続されたケーブルにより、レンズ装置１０におけるＩ／Ｏポート３６とＡＦエリア表示アダプタ２０におけるＩ／Ｏポート１０６との間、及び、レンズ装置１０におけるＳＣＩ３８とＡＦエリア表示アダプタ２０におけるＳＣＩ１０２との間が接続される。また、カメラ１２のコネクタ１２Ａに接続されたケーブルにより、カメラ１２内の図示しないＩ／ＯポートとＡＦエリア表示アダプタ２０におけるＩ／Ｏポート１０６との間が接続される。
【００３９】
ＡＦエリア表示アダプタ２０のＣＰＵ３０は、カメラ１２側から出力されてＩ／Ｏポート１０６に入力した信号（アイリス信号等）をそのままレンズ装置１０側に送信し、その信号をレンズ装置１０のＣＰＵ３０がＩ／Ｏポート３６を介して読み込めるようにしている。一方、レンズ装置１０のＣＰＵ３０のＩ／Ｏポート３６から出力されてＡＦエリア表示アダプタ２０のＩ／Ｏポート１０６に入力した信号（フォーカス位置等のレンズ情報）をそのままカメラ１２側に送信し、その信号をカメラ１２が読み込めるようにしている。これによって、レンズ装置１０とカメラ１２との間での必要な信号のやり取りが可能となっている。
【００４０】
これに対して、レンズ装置１２のＣＰＵ３０は、ＳＣＩ３８を通じて現在設定されているＡＦエリアの範囲を示すＡＦエリア情報（ＡＦエリアの位置、大きさ、形状に関する情報）を出力しており、そのＡＦエリア情報は、ＡＦエリア表示アダプタ２０のＳＣＩ１０２を通じてＣＰＵ１００に読み込まれるようになっている。
【００４１】
ＡＦエリア表示アダプタ２０のＣＰＵ１００は、レンズ装置１２から与えられたＡＦエリア情報に基づいて、例えば、カメラ１２の撮像範囲を示す枠と、その撮像範囲内において、現在設定されているＡＦエリアの範囲を示すＡＦ枠（ＡＦエリアの輪郭を示す枠）の画像（映像）を生成すると共に、その映像信号を生成し、ＳＣＩ１０４を通じてＡＦエリアディスプレイ２２に出力する。これによって図５に示すようにＡＦエリアディスプレイ２２の画面１２０に撮像範囲を示す枠１２２とＡＦ枠１２４とが表示される。
【００４２】
以上のようにカメラ１２がＡＦエリア表示機能を備えていない場合であっても、ＡＦエリア表示アダプタ２０をレンズ装置１０のＡＦエリア情報の出力するコネクタに接続することによってＡＦエリアの範囲を表示するための映像信号が生成され、その映像をＡＦエリアディスプレイ２２に表示させることができる。従って、カメラマンは、その表示を見て現在設定されているＡＦエリアの範囲を認識することができ、ＡＦエリアを所望の範囲（位置等）に変更することが容易となる。
【００４３】
以上、上記実施の形態では、フォーカス＆ＡＦエリアデマンド１６によってＡＦエリアの位置のみを変更することができる態様について説明したが、位置以外にＡＦエリアの範囲を決める要素としてＡＦエリアの大きさや形状もフォーカス＆ＡＦエリアデマンド１６での操作によって変更できるようにしてもよい。また、フォーカスに関する操作とＡＦエリアに関する操作は同一のコントローラではなく、別体のコントローラによって行えるようにしてもよい。
【００４４】
また、上記実施の形態では、ＡＦエリア表示アダプタ２０と、ＡＦエリア表示アダプタ２０によって生成した映像を表示するＡＦエリアディスプレイ２２とを別体の装置としたが、ＡＦエリア表示アダプタ２０とＡＦエリアディスプレイ２２とは一体の装置としてもよい。
【００４５】
また、上記実施の形態では、ＡＦエリアの範囲を表示するためにＡＦエリア表示アダプタ２０で生成してＡＦエリアディスプレイ２２に表示するＡＦエリアの映像を、図５のように撮像範囲を示す枠１２２とＡＦ枠１２４の映像としたが、これと異なる形態の映像によってＡＦエリアの範囲を表示するようにしてもよい。
【００４６】
また、上記実施の形態では、ＡＦエリア表示アダプタ２０によって生成したＡＦエリアの映像を、そのままＡＦエリアディスプレイ２２に表示するようにしたが、例えば、ＡＦエリア表示アダプタ２０から出力された映像信号と、カメラ１２からビューファインダー１４に出力される撮影映像の映像信号とを画像処理装置に取り込み、それらの映像を合成して、撮影映像にＡＦ枠などのＡＦエリアの範囲を示す映像を重畳し、その合成映像を画像処理装置からビューファインダー１４に出力するようにしてもよい。
【００４７】
また、上記実施の形態において、ＡＦエリア表示ディスプレイ２２を例えば透過型のＬＣＤパネルに映像を表示するものとし、そのＬＣＤパネルをビューファインダー１４の画面の前面に固定することによって、ビューファインダー１４の画面に表示された撮影映像に重ねてＡＦエリアの範囲（ＡＦ枠等）が表示されるようにしてもよい。
【００４８】
また、本発明は上記実施の形態のようなコントラスト方式以外の方式のＡＦであっても適用できる。
【００４９】
また、上記実施の形態では、本発明に係るＡＦエリア表示装置をレンズ装置１０とは別体の付属装置として構成した場合について説明したが、上記ＡＦエリア表示アダプタ２０におけるＡＦエリアの表示に関する処理をレンズ装置１０において行えるようにすることによって本発明に係るＡＦエリア表示装置をレンズ装置１０に組み込みレンズ装置１０と一体の装置としてもよい。
【図面の簡単な説明】
【００５０】
【図１】図１は、本発明に係るＡＦエリア表示装置が組み込まれたテレビカメラシステムの一実施の形態を示した外観構成図である。
【図２】図２は、図１のテレビカメラシステムにおいて主にＡＦ機能に関連する処理ブロックの構成を示したブロック図である。
【図３】図３は、フォーカス＆ＡＦエリアデマンドの外観構成図である。
【図４】図４は、ＡＦエリアの説明に使用した説明図である。
【図５】図５は、ＡＦエリアディスプレイに表示されるＡＦエリアの映像の一形態を示した図である。
【符号の説明】
【００５１】
１０…レンズ装置、１２…カメラ、１４…ビューファインダー、１６…フォーカス＆ＡＦエリアデマンド、２０…ＡＦエリア表示アダプタ、２２…ＡＦエリアディスプレイ、ＦＬ…フォーカスレンズ群、３０、１００…ＣＰＵ、３６…Ｉ／Ｏポート、３８…ＳＣＩ、４０…焦点評価値検出部、６６…ジョイスティック、８２…ＡＦエリア、８４、１２４…ＡＦ枠
【図１】
2006145872.tif 000003
【図２】
2006145872.tif 000004
【図３】
2006145872.tif 000005
【図４】
2006145872.tif 000006
【図５】
2006145872.tif 000007